(57)【要約】【課題】合理的かつ効果的な統合電化装置を提供する。【解決手段】複数の電化装置と、該電化装置と独立し該電化装置の運転動作を制御する１つのＣＰＵ（中央演算処理装置）と、電化装置とＣＰＵとの間の運転データの送受信を行う送受信部と、電化装置の運転状態、運転状況の各データを表示する表示装置と、運転状態、運転状況に基づいたブザー音を出力する音声出力装置と、運転プログラム、運転状態、運転状況の各データを格納するデータ格納装置と、電化装置の運転動作と連携した映像演出装置と音響演出装置と芳香演出装置とを備える。【選択図】図１
2008176444.tif 000002
【特許請求の範囲】
【請求項１】
複数の電化装置と、該電化装置と独立し該電化装置の運転動作を制御する１つのＣＰＵ（中央演算処理装置）と、前記電化装置に付帯し前記ＣＰＵ間の運転データの送受信を行う送受信部とを有することを特徴とする統合電化装置。
【請求項２】
前記ＣＰＵに接続され、前記電化装置の運転状態、運転状況の各データを表示する表示装置を有することを特徴とする請求項１に記載の統合電化装置。
【請求項３】
前記ＣＰＵに接続され、前記電化装置の運転状態、運転状況に基づいたブザー音を出力する音声出力装置を有することを特徴とする請求項１または２に記載の統合電化装置。
【請求項４】
前記ＣＰＵに接続され、前記電化装置の運転プログラム、運転状態、運転状況の各データを格納するデータ格納装置を有することを特徴とする請求項１〜３のいずれか１項に記載の統合電化装置。
【請求項５】
前記ＣＰＵに接続され、前記電化装置の運転動作と連携して映像空間を演出する映像演出装置を有することを特徴とする請求項１〜４のいずれか１項に記載の統合電化装置。
【請求項６】
前記ＣＰＵに接続され、前記電化装置の運転動作と連携して音響空間を演出する音響演出装置を有することを特徴とする請求項１〜５のいずれか１項に記載の統合電化装置。
【請求項７】
前記ＣＰＵに接続され、前記電化装置の運転動作と連携して芳香空間を演出する芳香演出装置を有することを特徴とする請求項１〜６のいずれか１項に記載の統合電化装置。
【請求項８】
前記ＣＰＵ、表示装置、音声出力装置、データ格納装置として、家庭用パーソナルコンピュータを適用したことを特徴とする請求項１〜７のいずれか１項に記載の統合電化装置。
【請求項９】
前記ＣＰＵ、データ格納装置、映像演出装置、音響演出装置、芳香演出装置、電化装置を統合制御して、仮想現実マルチメディア空間を創造することを特徴とする請求項８に記載の統合電化装置。
【発明の詳細な説明】
【技術分野】
【０００１】
本発明は、家庭用ネットワーク家電における統合電化装置に関するものである。
【背景技術】
【０００２】
従来、家庭用電化装置に使用されている主なシステム構成は図２のようになっており、電化装置１０には、ＣＰＵ１１、表示装置１２、音声出力装置１３、データ格納装置１４が取り付けられている。そして、電化装置がそれぞれ独立した個別の運転動作を行ってきた。なお、かかる先行技術は、文献公知発明に係るものでないため、記載すべき先行技術文献情報はない。
【発明の開示】
【発明が解決しようとする課題】
【０００３】
しかし、このようなシステム構成では電化装置毎にＣＰＵ、表示装置、音声出力装置、データ格納装置をつける必要があるため、各電化装置のコストが大きく増大することになる。従って、それぞれのＣＰＵ、表示装置、音声出力装置、データ格納装置は限られた性能、容量、サイズのものしか備えることしかできず、より一層の高性能化、高機能化が困難であるという課題に直面していた。また、各電化装置を連携させた運転動作を行わせる場合には、それぞれ個別の独立しているＣＰＵ動作を連携させなければならず、非常に手間がかかり、合理的かつ効率的な連携動作がまず得られないという課題を有していた。
【０００４】
本発明は、このような点に鑑みてなされたもので、コストアップせず、合理的かつ効率的な連携動作を確保でき、できる限り資源の有効活用を図れる統合電化装置を提供することにある。
【課題を解決するための手段】
【０００５】
本発明に係る統合電化装置は、複数の電化装置と、該電化装置と独立し該電化装置の運転動作を制御する１つのＣＰＵ（中央演算処理装置）と、前記電化装置と前記ＣＰＵ間の運転データの送受信を行う送受信部とを有する。
【０００６】
また、前記ＣＰＵに接続され、前記電化装置の運転状態、運転状況の各データを表示する表示装置を有する。
【０００７】
また、前記ＣＰＵに接続され、前記電化装置の運転状態、運転状況に基づいたブザー音を出力する音声出力装置を有する。
【０００８】
また、前記ＣＰＵに接続され、前記電化装置の運転プログラム、運転状態、運転状況の各データを格納するデータ格納装置を有する。
【０００９】
また、前記ＣＰＵに接続され、前記電化装置の運転動作と連携して映像空間を演出する映像演出装置を有する。
【００１０】
また、前記ＣＰＵに接続され、前記電化装置の運転動作と連携して音響空間を演出する音響演出装置を有する。
【００１１】
また、前記ＣＰＵに接続され、前記電化装置の運転動作と連携して芳香空間を演出する芳香演出装置を有する。
【００１２】
また、前記ＣＰＵ、表示装置、音声出力装置、データ格納装置として、家庭用パーソナルコンピュータを適用したものである。
【００１３】
また、前記ＣＰＵ、データ格納装置、映像演出装置、音響演出装置、芳香演出装置、電化装置を統合制御して、仮想現実マルチメディア空間を創造する。
【発明の効果】
【００１４】
請求項１記載の発明によれば、複数の電化装置のＣＰＵを削減できるので、低コストの電化装置を作製できる。
【００１５】
請求項２記載の発明によれば、複数の電化装置の表示装置を削減できるので、一層低コストの電化装置を作製できる。
【００１６】
請求項３記載の発明によれば、複数の電化装置の音声出力装置を削減できるので、さらに低コストの電化装置を作製できる。
【００１７】
請求項４記載の発明によれば、複数の電化装置のデータ格納装置を削減できるので、極めて低コストの電化装置を作製できる。
【００１８】
請求項５記載の発明によれば、新しいコンセプトの映像空間を演出できるので消費者の購買意欲を高め、企業経営に貢献できる。
【００１９】
請求項６記載の発明によれば、新しいコンセプトの音響空間を演出できるので消費者の購買意欲を一層高め、企業経営に一層貢献できる。
【００２０】
請求項７記載の発明によれば、新しいコンセプトの芳香空間を演出できるので消費者の購買意欲をさらに高め、企業経営にさらに貢献できる。
【００２１】
請求項８記載の発明によれば、ＣＰＵ、表示装置、音声出力装置、データ格納装置として家庭用パーソナルコンピュータを流用するので、資源の有効活用を図ることができ、統合電化装置のさらなる低コスト化を図ることができる。
【００２２】
請求項９記載の発明によれば、仮想現実マルチメディア空間を創造することで、世界各地の風景や、創造の世界、宇宙空間、夢物語などを消費者にいつでも提供でき、統合電化装置の購買意欲を飛躍的に高め、企業経営、企業知名度の向上に貢献できる。
【発明を実施するための最良の形態】
【００２３】
（実施の形態１）
以下、添付の図面を用いて本発明に係る統合電化装置５の実施の形態を説明する。図１は、本実施の形態のシステム構成を示した図である。本発明は、ｎ台（ｎはｎ≧１の整数）の電化装置に対して適用可能であるが、ここでは、３台（ｎ＝３）の電化装置とした例を用いて説明する。
【００２４】
電化装置２１、２２、２３のそれぞれには送受信部が取り付けられており、従来のようなＣＰＵ４１、表示装置４２、音声出力装置４３、データ格納装置４４が取り外されている。これら電化装置の運転動作を統合制御しているのがＣＰＵ４１である。ＣＰＵ４１には、送受信機能が組み込まれている。
【００２５】
ＣＰＵ４１では、各電化装置に対応した運転データを各電化装置に送信し、送受信部はそれぞれの運転データに基づいて各電化装置を運転させる。そして、各電化装置の運転状
態、運転状況の各データを送受信部はＣＰＵ４１に送信し、ＣＰＵ４１はそれを受信後、表示装置４２に表示する。また、ＣＰＵ４１は、各電化装置の運転状態、運転状況の各データに基づいたブザー音を出力する音声出力装置４３を有している。また、ＣＰＵ４１には、各電化装置の運転プログラム、運転状態、運転状況の各データを格納するデータ格納装置４４を有している。データ格納装置４４にはＲＯＭ、ＲＡＭ、ストレージデバイスなどを使用する方法がある。
【００２６】
さらに、ＣＰＵ４１には各電化装置の運転動作と連携して映像空間を演出する映像演出装置１、音響空間を演出する音響演出装置２、芳香空間を演出する芳香演出装置３も取り付けられている。これらの演出装置は仮想現実マルチメディア空間を創造することができ、リアルタイムに空間演出を行うことが可能である。本発明の構成にすれば、上に述べた仮想現実マルチメディア空間などの人の五感に訴える世界各地の風景や、創造の世界、宇宙空間、夢物語などを簡単かつ低コストで実現することができる。
【００２７】
これら電化装置の運転プログラム、運転状態、運転状況の各データ、および仮想現実マルチメディア空間創造プログラムはすべてデータ格納装置に格納されている。
【００２８】
ＣＰＵ４１、表示装置４２、音声出力装置４３、データ格納装置４４は、家庭用パーソナルコンピュータ４を流用できるような統合電化装置５を構築すれば、一層の低コスト化を図ることができる。
【００２９】
このような構成にすれば、ＣＰＵ４１、表示装置４２、音声出力装置４３、データ格納装置４４は一つでよく、それぞれの資源を最大限に活用でき、また合理的かつ効率的に、統合電化装置の連携動作を確保できる。
【００３０】
以上、本発明の一実施の形態について述べたが、本発明は上記の範囲を逸脱しない範囲の他の実施の形態であっても実現可能である。
【産業上の利用可能性】
【００３１】
本発明にかかる統合電化装置は、デジタル家電等に適用できる。
【図面の簡単な説明】
【００３２】
【図１】本実施の形態１における統合電化装置のシステム構成図
【図２】従来の電化装置におけるシステム構成図
【符号の説明】
【００３３】
１  映像演出装置
２  音響演出装置
３  芳香演出装置
４  家庭用パーソナルコンピュータ
５  統合電化装置
【図１】
2008176444.tif 000003
【図２】
2008176444.tif 000004